(57)【要約】【課題】波型曲線パターンの隣り合う狭隘部にヒューズ機能を持たせると、他のヒューズ部と比較して離間距離の幅が短くなり、導電体が溶融、飛散し難くなる。その結果、欠陥セグメントの分離が遅延するおそれがある。【解決手段】第１及び第２の波型曲線パターン２４Ａ，２４Ｂを途切れさせるようにして、導電体が蒸着された複数のヒューズ部２６Ａ〜２６Ｄを設ける。一方、第１及び第２の波型曲線パターン２４Ａ，２４Ｂは、一方のパターンの山部分と他方のパターンの谷部分とが重なるようにして形成される。【選択図】図１
2015056582.tif 000002
【特許請求の範囲】
【請求項１】
誘電体フィルム上に、非蒸着スリットによって区画された複数の導電体蒸着セグメントが形成された、フィルムコンデンサ用の導電体蒸着フィルムであって、
前記非蒸着スリットは、前記誘電体フィルムの幅方向に延設された第１の波型曲線パターンと、前記第１の波型曲線パターンを前記誘電体フィルムの長手方向に反転させた第２の波型曲線パターンが、前記誘電体フィルムの長手方向に交互に設けられることで形成され、
前記第１及び第２の波型曲線パターンは、それぞれ、導電体が蒸着された複数のヒューズ部によって途切れ、
前記複数のヒューズ部は、前記第１及び第２の波型曲線パターンを途切れさせる離間距離が最小となる領域の前記波型曲線パターンの幅方向長さが、それぞれ等しくなるように形成され、
前記第１及び第２の波型曲線パターンは、一方のパターンの山部分と他方のパターンの谷部分とが重なるようにして形成されていることを特徴とする、フィルムコンデンサ用の導電体蒸着フィルム。
【請求項２】
請求項１に記載の、フィルムコンデンサ用の導電体蒸着フィルムであって、前記複数のヒューズ部は、それぞれ、前記第１及び第２の波型曲線パターンを途切れさせる離間距離が前記波型曲線パターンの幅方向に亘って同一となるように形成されていることを特徴とする、フィルムコンデンサ用の導電体蒸着フィルム。
【請求項３】
請求項１または２に記載の、フィルムコンデンサ用の導電体蒸着フィルムであって、
前記第１及び第２の波型曲線パターンは、前記ヒューズ部を境に、上に凸の円弧と下に凸の円弧に分けられ、
前記第１の波型曲線パターンの下に凸の円弧及び前記第２の波型曲線パターンの上に凸の円弧の曲率半径が、前記第１の波型曲線パターンの上に凸の円弧及び前記第２の波型曲線パターンの下に凸の円弧の曲率半径の８５％以上１１５％以下であることを特徴とする、フィルムコンデンサ用の導電体蒸着フィルム。
【発明の詳細な説明】
【技術分野】
【０００１】
本発明は、フィルムコンデンサ用の導電体蒸着フィルムに関するものである。
【背景技術】
【０００２】
従来から、車載オーディオのフィルタ素子等に、フィルムコンデンサが用いられている。フィルムコンデンサは、例えば、誘電体フィルムの片面に導電体を蒸着させた導電体蒸着フィルムを２層積層して用いるものであり、一方の蒸着面に正負どちらかの極を接続し、他方の蒸着面に残りの極を接続する。
【０００３】
導電体蒸着フィルムは、導電体領域を複数のセグメントに分割するとともに、隣接するセグメントを導電体のヒューズにて繋ぐことで、自己保安機能が得られることが知られている。誘電体フィルムに欠陥部（欠損部や肉薄部等）が含まれる場合に、当該欠陥部を含むセグメント（欠陥セグメント）に絶縁破壊が生じて電流が集中する。このとき、欠陥セグメントを流れる電流はヒューズを介して隣接するセグメントに流れ込む。大電流がヒューズに流れ込むことで、ジュール熱によってヒューズが溶融、飛散する。これによって欠陥セグメントは隣接するセグメントから切り離され、絶縁破壊を止めることができる。
【０００４】
セグメントは、非蒸着領域である非蒸着スリットによって分割される。例えば特許文献１では、図４に示すように、非蒸着スリット１００を、第１の波型曲線パターン１００Ａと、これを反転させた第２の波型曲線パターン１００Ｂから構成している。また、これらの波型曲線パターン１００Ａ，１００Ｂの一部に導電体を蒸着させてこれをヒューズ部１０２としている。さらに、波型曲線パターン１００Ａ，１００Ｂが近づく狭隘部１０４の離間距離ｄを、ヒューズ部の離間距離ｄと等しくすることで、狭隘部１０４にヒューズ機能を持たせている。
【先行技術文献】
【特許文献】
【０００５】
【特許文献１】特開２０１２−９９７４７号公報
【発明の概要】
【発明が解決しようとする課題】
【０００６】
ところで、図４に示すように、波型曲線パターン１００に設けたヒューズ部１０２の離間距離がｄである幅Ｗと、狭隘部１０４の離間距離がｄである長さＬとは、異なる場合がある。すなわち、波型曲線パターン１００Ａ，１００Ｂがともに曲線形状であることを考慮すると、狭隘部１０４の離間距離がｄとなるのは原理的には一点のみとなり、所定長さだけ離間距離をｄに保つことは困難となる。つまり、狭隘部の離間距離がｄとなる長さＬは、ヒューズ部１０２の幅Ｗよりも短くなる。狭隘部１０４のごく短い区間がジュール熱によって加熱されても周辺に熱が逃げてしまうため、狭隘部１０４はヒューズ部１０２よりも導電体が溶融、飛散し難くなる。その結果、欠陥セグメントの分離が遅延または行われず、絶縁破壊を止めることが困難となる場合がある。
【課題を解決するための手段】
【０００７】
本発明は、誘電体フィルム上に、非蒸着スリットによって区画された複数の導電体蒸着セグメントが形成された、フィルムコンデンサ用の導電体蒸着フィルムに関するものである。前記非蒸着スリットは、前記誘電体フィルムの幅方向に延設された第１の波型曲線パターンと、前記第１の波型曲線パターンを前記誘電体フィルムの長手方向に反転させた第２の波型曲線パターンが、前記誘電体フィルムの長手方向に交互に設けられることで形成され、前記第１及び第２の波型曲線パターンは、それぞれ、導電体が蒸着された複数のヒューズ部によって途切れ、前記複数のヒューズ部は、前記第１及び第２の波型曲線パターンを途切れさせる離間距離が最小となる領域の前記波型曲線パターンの幅方向長さが、それぞれ等しくなるように形成され、前記第１及び第２の波型曲線パターンは、一方のパターンの山部分と他方のパターンの谷部分とが重なるようにして形成されている。
【０００８】
また、上記発明において、前記複数のヒューズ部は、それぞれ、前記第１及び第２の波型曲線パターンを途切れさせる離間距離が前記波型曲線パターンの幅方向に亘って同一となるように形成されていることが好適である。
【０００９】
また、上記発明において、前記第１及び第２の波型曲線パターンは、前記ヒューズ部を境に、上に凸の円弧と下に凸の円弧に分けられ、前記第１の波型曲線パターンの下に凸の円弧及び前記第２の波型曲線パターンの上に凸の円弧の曲率半径が、前記第１の波型曲線パターンの上に凸の円弧及び前記第２の波型曲線パターンの下に凸の円弧の曲率半径の８５％以上１１５％以下であることが好適である。
【発明の効果】
【００１０】
本発明によれば、欠陥セグメントの分離を従来よりも確実に行うことが可能となる。
【図面の簡単な説明】
【００１１】
【図１】本実施形態に係る導電体蒸着フィルムを例示する図である。
【図２】本実施形態に係る導電体蒸着フィルムを用いたフィルムコンデンサを例示する斜視図である。
【図３】本実施形態に係る導電体蒸着フィルムのパターン形状を説明する図である。
【図４】従来技術に係る導電体蒸着フィルムを説明する図である。
【発明を実施するための形態】
【００１２】
図１に、本実施形態に係る導電体蒸着フィルム１０を例示する。この図では、上段に平面図、下段に側面図を示している。導電体蒸着フィルム１０は、誘電体フィルム１２を備え、誘電体フィルム１２上には、導電体蒸着セグメント１４、非蒸着スリット１６、メタリコン接続部１８、及び非蒸着マージン２０が形成されている。
【００１３】
誘電体フィルム１２は、誘電材料から形成されるシート状の部材である。また、後述するように、フィルムコンデンサ製造の際に、導電体蒸着フィルム１０が巻き取られることから、誘電体フィルム１２は柔軟性を備えた材料からなることが好適である。例えば、誘電体フィルム１２は、ポリプロピレン等の樹脂材料から形成される。
【００１４】
メタリコン接続部１８は、誘電体フィルム１２の幅方向の一端に設けられた導電体蒸着領域である。メタリコン接続部１８は、誘電体フィルム１２の長手方向に亘って設けられる。図１の下段に示されているように、メタリコン接続部１８の膜厚は、導電体蒸着セグメント１４の膜厚よりも厚くなるように形成されてよい。メタリコン接続部１８を構成する導電体は、アルミ等の金属材料であってよい。
【００１５】
非蒸着マージン２０は、誘電体フィルム１２の幅方向の他端に設けられた非蒸着領域である。非蒸着マージン２０は、メタリコン接続部１８と同様に、誘電体フィルム１２の長手方向に亘って設けられる。
【００１６】
図２に示すように、導電体蒸着フィルム１０を積層することで、フィルムコンデンサ２２が形成される。このとき、一方の層の導電体蒸着フィルム１０Ａと、他方の層の導電体蒸着フィルム１０Ｂとで、メタリコン接続部１８及び非蒸着マージン２０の配置が入れ替わっていることが好適である。積層された導電体蒸着フィルム１０Ａ，１０Ｂは巻き取られて円筒状となり、その両側面にメタリコン（金属溶射）が施される。これによって一方の側面のメタリコン金属膜と一方の層のメタリコン接続部１８が導通し、他方の側面のメタリコン金属膜と他方の層のメタリコン接続部１８が導通する。さらに一方のメタリコン金属膜に正負極の一方が接続され、他方に残りの極が接続される。
【００１７】
図１に戻り、導電体蒸着セグメント１４は、メタリコン接続部１８と非蒸着マージン２０との間に形成された、導電体蒸着領域である。導電体蒸着セグメント１４はメタリコン接続部１８と導通するように、メタリコン接続部１８と連続的に導電体が蒸着される。導電体蒸着セグメント１４を構成する導電体は、メタリコン接続部１８と同一材料であってよく、アルミ等の金属材料であってよい。
【００１８】
非蒸着スリット１６は、それぞれの導電体蒸着セグメント１４を区画する。非蒸着スリット１６は、誘電体フィルム１２上に形成された非蒸着部分である。非蒸着スリット１６は、第１の波型曲線パターン２４Ａ及び第２の波型曲線パターン２４Ｂが、誘電体フィルム１２の長手方向に沿って交互に設けられるようにして形成されている。
【００１９】
第１の波型曲線パターン２４Ａは、誘電体フィルム１２の幅方向に延設される。第１の波型曲線パターン２４Ａは、誘電体フィルム１２の幅方向に、円弧を反転させながら交互に並べたような形状であったり、または、正弦波型状であってよい。第１の波型曲線パターン２４Ａは、メタリコン接続部１８から非蒸着マージン２０に至るまで延設されていてよい。また、第２の波型曲線パターン２４Ｂは、第１の波型曲線パターン２４Ａを、誘電体フィルム１２の長手方向に反転させた形状となっている。
【００２０】
非蒸着スリット１６を曲線状に形成することで、導電体蒸着セグメント１４の輪郭は曲線形状となる。導電体蒸着セグメント１４を矩形状に形成すると、隅部を流れる電流が中央部に比較して少なくなるなど、電流分布の偏りが生じるが、導電体蒸着セグメント１４を曲線状に形成することで、このような電流分布の偏りを改善することができる。
【００２１】
また、図３に示すように、第１及び第２の波型曲線パターン２４Ａ，２４Ｂの形状を微調整するようにしてもよい。第１の波型曲線パターン２４Ａを例にとると、ヒューズ部２６を境にして、紙面から見て上に凸の円弧の曲率半径Ｒ１と、下に凸の円弧の曲率半径Ｒ２とで、曲率半径を変化させてもよい。例えば、下に凸の円弧の曲率半径Ｒ２が、上に凸の円弧の曲率半径Ｒ１の８５％以上１１５％以下となっていてもよい。逆に、上に凸の円弧の曲率半径Ｒ１が、下に凸の円弧の曲率半径Ｒ２の８５％以上１１５％以下となっていてもよい。また、このとき、曲率半径を変更させた第１の波型曲線パターン２４Ａを反転させて、第２の波型曲線パターン２４Ｂとしてよい。
【００２２】
発明者らの実験の結果、上記の範囲内で円弧の曲率半径を変化させても、フィルムコンデンサ２２の自己保安機能は、曲率半径を変化させない場合と同等となることが明らかとなった。このように、曲率半径を微調整することで、誘電体フィルム１２の幅寸法の変更時などに、この変更に合わせた波型曲線パターンの微調整が可能となり、設計の自由度が向上する。
【００２３】
第１及び第２の波型曲線パターン２４Ａ，２４Ｂは、それぞれ、導電体が蒸着された複数のヒューズ部２６によって途切れている。ヒューズ部２６は、波型曲線パターン２４Ａ，２４Ｂの、パターンの山部分と谷部分の中間位置に設けられていてよい。図１〜３では、第１の波型曲線パターン２４Ａに２つのヒューズ部２６Ａ，２６Ｂが設けられ、第２の波型曲線パターン２４Ｂに２つのヒューズ部２６Ｃ，２６Ｄが設けられている。
【００２４】
ヒューズ部２６Ａ〜２６Ｄは、第１及び第２の波型曲線パターン２４Ａ，２４Ｂを途切れさせる離間距離のうち最小離間距離ｄとなる領域の、波型曲線パターンの幅方向Ｗの長さが、それぞれ等しくなるように形成されている。例えば、ヒューズ部２６Ａ〜２６Ｄは、それぞれ、離間距離ｄが、波型曲線パターンの幅方向Ｗに亘って同一となるように形成されていることが好適である。
【００２５】
このようにすることで、最小離間距離とされた幅が、どのヒューズ部２６Ａ〜２６Ｄでも等しくなり、電流の流れにくさ、言い換えるとヒューズ部の加熱傾向がどのヒューズ部２６Ａ〜２６Ｄでも均一となる。このようにすることで、各ヒューズ部の溶断機能（フィルムコンデンサ２２の自己保安機能）を均一に保つことが可能となる。
【００２６】
また、各ヒューズ部の溶断機能を均一に保つという観点から、本実施形態では、第１及び第２の波型曲線パターン２４Ａ，２４Ｂが向かい合う狭隘部を設けていない。つまり、第１及び第２の波型曲線パターン２４Ａ，２４Ｂは、一方のパターンの山部分（極大点）と他方のパターンの谷部分（極小点）とが重なるようにして形成されている。上述したように、波型曲線パターン２４Ａ，２４Ｂは曲線形状であることから、離間距離を一定幅に設けることは困難となる。そこで本実施形態では、波型曲線パターン同士の間隔を利用したヒューズ部を設けずに、波型曲線パターンの一部を途切れさせるような蒸着パターンのみにて、ヒューズ部を構成している。このようにすることで、ヒューズ部の機能を均一化、安定化することができ、欠陥セグメントの分離を従来よりも確実に行うことが可能となる。
【符号の説明】
【００２７】
１０  導電体蒸着フィルム、１２  誘電体フィルム、１４  導電体蒸着セグメント、１６  非蒸着スリット、１８  メタリコン接続部、２０  非蒸着マージン、２２  フィルムコンデンサ、２４Ａ  第１の波型曲線パターン、２４Ｂ  第２の波型曲線パターン、２６Ａ〜２６Ｄ  ヒューズ部。
【図１】
2015056582.tif 000003
【図２】
2015056582.tif 000004
【図３】
2015056582.tif 000005
【図４】
2015056582.tif 000006